(57)【要約】【課題】外観品質を向上させかつ少ないスペースでも持ちやすい掘り込み式取手を提供する。【解決手段】取手目隠しカバー２の裏面に凹部２ａを設ける。このような形状にすると、凹形状部分である凹部２ａに指先を引っ掛けることができ、平坦である場合よりも持ちやすさを向上させることができる。取手目隠しカバー２の裏面の凹部２ａを持ち手とするためには、使用していない状態から外装カバー１の外側に回転させて取手目隠しカバー２を機器外へ突出させ、さらに機器内部方向へ水平に取手目隠しカバー２を移動させる。【選択図】図９
2016004187.tif 000002
【特許請求の範囲】
【請求項１】
取手部をなす凹部が機器外面にある掘り込み式取手において、
通常時は前記凹部を隠し、使用時には持ち手となり得る取手目隠しカバーと、
前記取手目隠しカバーを機器に取り付けるための連結部と、
を含み、
前記取手目隠しカバーが、その裏面に凹状の持ち手形状部を備えた、
ことを特徴とする掘り込み式取手。
【請求項２】
請求項１に記載の掘り込み式取手において、
前記連結部に応力集中を避けるための逃げが設けてある、
ことを特徴とする掘込み式取手。
【請求項３】
請求項１又は２に記載の掘り込み式取手において、
前記取手目隠しカバーが、組立の方向性を制限するリブや引っ掛け形状を備えない、
ことを特徴とする掘り込み式取手。
【請求項４】
請求項１乃至３のいずれかに記載の掘り込み式取手において、
前記取手目隠しカバーが持ち手とする際に指先を引っ掛け得る凹形状部を有する、
ことを特徴とする掘り込み式取手。
【請求項５】
請求項１乃至４のいずれかに記載の掘り込み式取手において、
機器、装置の外装カバーへ前記取手目隠しカバーを連結するヒンジが、Ｄカット形状で構成してなる、
ことを特徴とする掘り込み式取手。
【請求項６】
請求項１乃至５のいずれかに記載の掘り込み式取手を備えたことを特徴とする機器。
【請求項７】
請求項１乃至５のいずれかに記載の掘り込み式取手を備えたことを特徴とする画像形成装置。
【発明の詳細な説明】
【技術分野】
【０００１】
本発明は、掘り込み式取手、これを有する機器、画像形成装置に関する。
【背景技術】
【０００２】
複写機、プリンタ、ファクシミリ、これらの複合機などの画像形成装置や、比較的重量のある機器、装置を持ち運ぶため、そのような機器、装置に、掘込み式と呼ばれる運搬用の取手が設けられることが多い。また、このような取手によってできる凹部を外観品質向上のためにカバーし、そのカバーを持ち手とする発明が既に知られている。
【０００３】
特許文献１には、掘り込み式取手の外観品質を向上する目的で、凹部を覆うカバーをつけ、それを持ち手とする開示されている。
【０００４】
図１は、従来の掘込み式取手を有する画像形成装置について説明するための斜視図である。図示のように、従来の堀込み式取手を有する画像形成装置１００には、取手部をなす凹形状部２００が外面にあり、それによって外観品質を損ねていた。そこで特許文献１では、図２、図３に示すような構成でその凹部を隠し、外観品質を向上させていた。図中１は外装カバー、２は取手目隠しカバー、３はフレーム材、４はカバー連結部である。
【発明の概要】
【発明が解決しようとする課題】
【０００５】
しかし、今までの掘込み式取手では、少ないスペースしかとれない場合、持ちにくいという問題があった。
図４は取手目隠しカバー２を上方へ回動させた状態と、それによってできるスペースを示す断面図である。この図に示すように、特許文献１に係る発明の場合、持ちやすくするために、手指を入れ得るスペース５を図中に斜線で示すように広く作る必要がある。しかし、機器のレイアウトの都合などにより、スペース５が広く取れない場合（例えば図５の場合）には、持ち手となる部分が平坦で滑りやすく、持ちにくいといった問題が生じる。
【０００６】
本発明は、外観品質を向上させかつ少ないスペースでも持ちやすい掘り込み式取手、及びそのような取手を有する機器、画像形成装置を提供することを目的とする。
【課題を解決するための手段】
【０００７】
本発明に係る掘り込み式取手は、取手部をなす凹部が機器外面にある掘り込み式取手において、通常時は前記凹部を隠し、使用時には持ち手となり得る取手目隠しカバーと、前記取手目隠しカバーを機器に取り付けるための連結部とを含み、前記取手目隠しカバーが、その裏面に凹状の持ち手形状部を備えたことを特徴とする。
【発明の効果】
【０００８】
本発明によれば、取手の凹形状を隠すカバーの裏面に凹形状を設けてあるので、少ないスペースでも、外観品質を向上させ、さらに持ちやすくできる。
【図面の簡単な説明】
【０００９】
【図１】従来の掘込み式取手を有する画像形成装置について説明するための斜視図である。
【図２】従来の掘込み式取手における外観品質を向上させる態様を示す斜視図である。
【図３】同じく断面図である。
【図４】掘込み式取手において、持ちやすくするために手指を入れ得るスペース広くする例を示す断面図である。
【図５】掘込み式取手において、持ちやすくするために手指を入れ得るスペース広くできない場合を示す断面図である。
【図６】本発明の一実施形態であって、取手目隠しカバーの裏面に凹部を設けた構造を示す斜視図である。
【図７】図６の取手目隠しカバーでできるスペースを示す断面図である。
【図８】取手目隠しカバーの裏面に凹部の断面形状が図６の例と異なる例を示す断面図である。
【図９】本発明の実施形態において、取手目隠しカバーを使用する際の動作について説明するための斜視図である。
【図１０】図９に示す取手目隠しカバー２の動作を可能にするための構造例を示す図である。
【図１１】取手使用時の構成について説明するための斜視図、図１２は同じく断面図である。
【図１２】同じく断面図である。
【発明を実施するための形態】
【００１０】
本発明の実施の形態を説明する。
本発明は、掘込み式取手の見栄えを良くし、さらに持ちやすくすることに際して、以下の特徴を有する。要するに、掘込み式取手形状の凹形状部分を隠すカバーの裏面に凹形状を設けたことが特徴になっている。
【００１１】
前記本発明の特徴について、以下に図面を参照して説明する。
図６〜図８は、持ちにくさを解消する手段を講じた本発明の実施形態に係る掘込み式取手を説明するための図である。
【００１２】
図６は、外観品質を向上させるために、取手目隠しカバー２の裏面に凹部２ａを設けた構造を示す斜視図である。このような形状にすると、図７に示すようにスペース（斜線部）が広く取れない場合でも凹形状部分である凹部２ａに指先を引っ掛けることができ、平坦である場合よりも持ちやすさを向上させることができる。図７の例では凹部２ａは断面形状を曲線で構成してあるが、図８に示すように断面形状を直線で構成してある形状でもよい。なお、取手目隠しカバー２には、組立の方向性を制限するリブや引っ掛け形状を備えないようにすることが好ましい。
【００１３】
図９は、本実施形態の取手目隠しカバー２を使用する際の動作について説明するための斜視図である。
取手目隠しカバー２の裏面の凹部２ａを持ち手とするためには、使用していない状態（図９（Ａ））から、図９（Ｂ）のように手前に（外装カバー１の外側に）回転させて取手目隠しカバー２を機器外へ突出させ、さらに図９（Ｃ）のように機器内部方向へ水平に取手目隠しカバー２を移動させてやれば良い。図中１０はガイド部材となる外装カバー１側のヒンジ１０で、上述した取手目隠しカバー２の移動を可能にするために、外装カバー１の機器内面側に水平に設けてあり、水平の溝部１０ａを設けてある。
【００１４】
図１０は、図９に示す取手目隠しカバー２の動作を可能にするための構造例を示す図である。図示のように、取手目隠しカバー２側のヒンジ２ｂの形状をＤカット形状とし、外装カバー１側のヒンジ１０に設ける溝部１０ａの形状を、図１０に示す寸法（それぞれ寸法ａ、ｂとする）として構成する。この構成とすれば、不使用時に図９（Ｂ）の状態になるまで取手目隠しカバー２が機器の内側へ動いてしまうことも避けられる。
【００１５】
図１１は、取手使用時の構成について説明するための斜視図、図１２は同じく断面図である。図１１に示すように、取手使用時には機器内側に位置するフレーム材３で荷重を受けることが望ましい。またその際に、図１２に示すような隙間２０を、応力集中を避けるための「逃げ」として設けることで、外装カバー１側のヒンジ１ｂへの応力集中が避けられ、外装カバー１の破損を防ぐことができる。
【００１６】
本発明は以上説明した実施形態に限定されるものではなく、多くの変形が本発明の技術的思想内で当分野において通常の知識を有する者により可能である。
【符号の説明】
【００１７】
１      ：外装カバー
１ｂ    ：ヒンジ
２      ：カバー
２ａ    ：凹部
２ｂ    ：ヒンジ
３      ：フレーム材
１０    ：ヒンジ
１０ａ  ：溝部
２０    ：隙間
【先行技術文献】
【特許文献】
【００１８】
【特許文献１】特開２０１２−１９４２２０号公報
【図１】
2016004187.tif 000003
【図２】
2016004187.tif 000004
【図３】
2016004187.tif 000005
【図４】
2016004187.tif 000006
【図５】
2016004187.tif 000007
【図６】
2016004187.tif 000008
【図７】
2016004187.tif 000009
【図８】
2016004187.tif 000010
【図９】
2016004187.tif 000011
【図１０】
2016004187.tif 000012
【図１１】
2016004187.tif 000013
【図１２】
2016004187.tif 000014